(57)【要約】  本開示の一実施形態に係る表示装置は、映像を表示する薄板状の表示セルと、表示セルの裏面側に配置され、表示セルを振動させるＭ個の加振器と、表示セルおよびＭ個加振器を駆動する駆動部とを備えている。駆動部は、外部信号から得られた音声信号に基づいてＭ種類の第１音声信号を生成する。駆動部は、さらに、Ｍ種類の第１音声信号から選択される、組み合わせの互いに異なるＭ−Ｏ組のＫ種類（２≦Ｋ＜Ｍ，１≦Ｏ＜Ｍ−１）の第１音声信号に基づいて、組ごとに第２音声信号を生成する。駆動部は、さらに、Ｍ−Ｏ種類の第２音声信号と、Ｍ種類の第１音声信号のうちの１つである第３音声信号とを、Ｍ個の加振器に供給する。
2019130972.tif 000002
【特許請求の範囲】
【請求項１】
映像を表示する薄板状の表示セルと、
前記表示セルの裏面側に配置され、前記表示セルを振動させるＭ個の加振器と、
前記表示セルおよびＭ個の前記加振器を駆動する駆動部と
を備え、
前記駆動部は、外部信号から得られた音声信号に基づいてＭ種類の第１音声信号を生成し、Ｍ種類の前記第１音声信号から選択される、組み合わせの互いに異なるＭ−Ｏ組のＫ種類（２≦Ｋ＜Ｍ，１≦Ｏ＜Ｍ−１）の前記第１音声信号に基づいて、組ごとに第２音声信号を生成し、Ｍ−Ｏ種類の前記第２音声信号と、Ｍ種類の前記第１音声信号のうちの１つである第３音声信号とを、Ｍ個の前記加振器に供給する
表示装置。
【請求項２】
前記駆動部は、大音量時に、Ｍ−Ｏ種類の前記第２音声信号と、前記第３音声信号とを、Ｍ個の前記加振器に供給する
請求項１に記載の表示装置。
【請求項３】
前記駆動部は、小音量時に、Ｍ種類の前記第１音声信号を、Ｍ個の前記加振器に供給する
請求項２に記載の表示装置。
【請求項４】
前記駆動部は、大音量時に、各前記第２音声信号における所定の低域を減衰させることにより生成したＭ−Ｏ種類の第４音声信号をＭ−Ｏ個の前記加振器に供給し、前記第３音声信号における所定の低域を減衰させることにより生成した第５音声信号を、Ｍ個の前記加振器のうち前記第４音声信号が供給されない前記加振器に供給する
請求項１に記載の表示装置。
【請求項５】
複数の低音域スピーカを更に備え、
Ｍ種類の前記加振器および複数の前記低音域スピーカを振動源と総称したときに、互いに隣接する２つの前記振動源の、面内における距離が、互いに等しくなっている
請求項１に記載の表示装置。
【請求項６】
Ｎ個の低音域スピーカを更に備え、
前記駆動部は、Ｍ−Ｏ種類の前記第２音声信号から選択される、組み合わせの互いに異なるＮ組のＪ種類（２≦Ｊ≦Ｎ）の前記第２音声信号と、前記第３音声信号とに基づいて、組ごとに第６音声信号を生成し、Ｎ種類の前記第６音声信号を、Ｎ個の前記低音域スピーカに供給する
請求項１に記載の表示装置。
【請求項７】
Ｍ個の前記加振器には、左加振器、中央加振器および右加振器が含まれ、
Ｍ種類の前記第１音声信号には、第１左音声信号、第１中央音声信号および第１右音声信号が含まれ、
Ｍ−Ｏ種類の前記第２音声信号には、第２左音声信号および第２右音声信号が含まれ、
前記駆動部は、前記音声信号に基づいて前記第１左音声信号、前記第１中央音声信号および前記第１右音声信号を生成し、前記第１左音声信号および前記第１中央音声信号に基づいて前記第２左音声信号を生成し、前記第１右音声信号および前記第１中央音声信号に基づいて前記第２右音声信号を生成し、前記第２左音声信号を前記左加振器に供給し、前記第１中央音声信号を前記中央加振器に供給し、前記第２右音声信号を前記右加振器に供給する
請求項１に記載の表示装置。
【請求項８】
前記駆動部は、大音量時に、前記第２左音声信号を前記左加振器に供給し、前記第２右音声信号を前記右加振器に供給する
請求項７に記載の表示装置。
【請求項９】
前記駆動部は、小音量時に、前記第１左音声信号を前記左加振器に供給し、前記第１の中央音声信号を前記中央加振器に供給し、前記第１の右音声信号を前記右加振器に供給する
請求項７に記載の表示装置。
【請求項１０】
Ｍ個の前記加振器には、第１左上加振器、第１左下加振器、中央加振器、第１右上加振器および第２右下加振器が含まれ、
Ｍ種類の前記第１音声信号には、第１左上音声信号、第１左下音声信号、第１中央音声信号、第１右上音声信号および第１右下音声信号が含まれ、
Ｍ−１種類の前記第２音声信号には、第２左上音声信号、第２左下音声信号、第２右上音声信号および第２右下音声信号が含まれ、
前記駆動部は、前記音声信号に基づいて前記第１左上音声信号、前記第１左下音声信号、前記第１中央音声信号、前記第１右上音声信号および前記右下音声信号を生成し、前記第１左上音声信号および前記第１中央音声信号に基づいて前記第２左上音声信号を生成し、前記第１左下音声信号および前記第１中央音声信号に基づいて前記第２左下音声信号を生成し、前記第１右上音声信号および前記第１中央音声信号に基づいて前記第２右上音声信号を生成し、前記第１右下音声信号および前記第１中央音声信号に基づいて前記第２右下音声信号を生成し、前記第２左上音声信号を前記左上加振器に供給し、前記第２左下音声信号を前記左下加振器に供給し、前記第１中央音声信号を前記中央加振器に供給し、前記第２右上音声信号を前記右上加振器に供給し、前記第２右下音声信号を前記右下加振器に供給する
請求項１に記載の表示装置。
【請求項１１】
前記駆動部は、大音量時に、前記第２左上音声信号を前記左上加振器に供給し、前記第２左下音声信号を前記左下加振器に供給し、前記第２右上音声信号を前記右上加振器に供給し、前記第２右下音声信号を前記右下加振器に供給する
請求項１０に記載の表示装置。
【請求項１２】
前記駆動部は、小音量時に、前記第１左上音声信号を前記左上加振器に供給し、前記第１左下音声信号を前記左下加振器に供給し、前記第１右上音声信号を前記右上加振器に供給し、前記第１右下音声信号を前記右下加振器に供給する
請求項１０に記載の表示装置。
【請求項１３】
外部信号から得られた音声信号に基づいて、Ｍ個の加振器に供給するための信号を生成する信号処理部を備え、
前記信号処理部は、前記音声信号に基づいて、Ｍ種類の第１音声信号を生成し、Ｍ種類の前記第１音声信号から選択される、組み合わせの互いに異なるＭ−Ｏ組のＫ種類（２≦Ｋ＜Ｍ，１≦Ｏ＜Ｍ−１）の前記第１音声信号に基づいて、組ごとに第２音声信号を生成し、Ｍ−Ｏ種類の前記第２音声信号と、Ｍ種類の前記第１音声信号のうちの１つである第３音声信号とを、Ｍ個の前記加振器に供給する
信号生成装置。
【発明の詳細な説明】
【技術分野】
【０００１】
本開示は、表示装置および信号生成装置に関する。
【背景技術】
【０００２】
ディスプレイの薄型軽量化が急激な伸長を遂げている。それに伴い、スピーカについても薄型軽量化が進み、コーン型スピーカに代わって、フラットパネルスピーカ（ＦＰＳ）を用いることが提案されている。さらに、フラットパネルスピーカにおける振動板として、表示パネルを用いることも提案されている。フラットパネルスピーカについては、例えば、特許文献１〜３参照に開示されている。
【先行技術文献】
【特許文献】
【０００３】
【特許文献１】特開２００７−１４３０１０号公報
【特許文献２】特開２００９−１５９１０４号公報
【特許文献３】特表２００２−５１０１８２号公報
【発明の概要】
【０００４】
フラットパネルスピーカの分野では、音質の更なる向上が求められている。従って、音質を更に向上させることの可能な表示装置および信号生成装置を提供することが望ましい。
【０００５】
本開示の一実施形態に係る表示装置は、映像を表示する薄板状の表示セルと、表示セルの裏面側に配置され、表示セルを振動させるＭ個の加振器と、表示セルおよびＭ個加振器を駆動する駆動部とを備えている。駆動部は、外部信号から得られた音声信号に基づいてＭ種類の第１音声信号を生成する。駆動部は、さらに、Ｍ種類の第１音声信号から選択される、組み合わせの互いに異なるＭ−Ｏ組のＫ種類（２≦Ｋ＜Ｍ，１≦Ｏ＜Ｍ−１）の第１音声信号に基づいて、組ごとに第２音声信号を生成する。駆動部は、さらに、Ｍ−Ｏ種類の第２音声信号と、Ｍ種類の第１音声信号のうちの１つである第３音声信号とを、Ｍ個の加振器に供給する。
【０００６】
本開示の一実施形態に係る信号生成装置は、外部信号から得られた音声信号に基づいて、Ｍ個の加振器に供給するための信号を生成する信号処理部を備えている。信号処理部は、外部信号から得られた音声信号に基づいてＭ種類の第１音声信号を生成する。信号処理部は、さらに、Ｍ種類の第１音声信号から選択される、組み合わせの互いに異なるＭ−Ｏ組のＫ種類（２≦Ｋ＜Ｍ，１≦Ｏ＜Ｍ−１）の第１音声信号に基づいて、組ごとに第２音声信号を生成する。信号処理部は、さらに、Ｍ−Ｏ種類の第２音声信号と、Ｍ種類の第１音声信号のうちの１つである第３音声信号とを、Ｍ個の加振器に供給する。
【図面の簡単な説明】
【０００７】
【図１】本開示の第１の実施の形態に係る表示装置の側面構成例を表す図である。
【図２】図１の表示装置の背面構成例を表す図である。
【図３】図２のリアカバーを取り外したときの、表示装置の背面の構成例を表す図である。
【図４】図３のＡ−Ａ線での断面構成例を表す図である。
【図５】図４の制振部材の平面構成例を表す図である。
【図６】図１の信号処理部の機能ブロック例を表す図である。
【図７】図６の音声信号処理回路の機能ブロック例を表す図である。
【図８】図７のＨＰＦにおけるゲインの一例を表す図である。
【図９】図１の信号処理部の機能ブロックの一変形例を表す図である。
【図１０】図３のＡ−Ａ線での断面構成の一変形例を表す図である。
【図１１】図１０の制振部材の平面構成例を表す図である。
【図１２】図１の表示装置の側面構成の一変形例を表す図である。
【図１３】図１２の表示装置の背面構成例を表す図である。
【図１４】図１２の信号処理部の機能ブロック例を表す図である。
【図１５】図１４の音声信号処理回路の機能ブロックの一例を表す図である。
【図１６】図１２の表示装置における加振器および低音域スピーカの位置の一例を表す図である。
【図１７】図１４の音声信号処理回路の機能ブロックの一変形例を表す図である。
【図１８】各加振器における出力音圧の一例を表す図である。
【図１９】各加振器における出力音圧の一例を表す図である。
【図２０】各加振器における出力音圧の一例を表す図である。
【図２１】本開示の第２の実施の形態に係る表示装置の側面構成例を表す図である。
【図２２】図２１の表示装置のリアカバーを取り外したときの、表示装置の背面の構成例を表す図である。
【図２３】図２１の表示装置における制振部材の平面構成例を表す図である。
【図２４】図２１の信号処理部の機能ブロック例を表す図である。
【図２５】図２４の音声信号処理回路の機能ブロックの一例を表す図である。
【図２６】図２１の表示装置における加振器および低音域スピーカの位置の一例を表す図である。
【図２７】図２５の音声信号処理回路の機能ブロックの一変形例を表す図である。
【図２８】図１の表示装置を用いた音響システムの概略構成の一例を表す図である。
【図２９】図２１の表示装置内の音声信号処理回路の機能ブロック例を表す図である。
【図３０】図２１の表示装置を用いた音響システムの概略構成の一例を表す図である。
【図３１】図３０の表示装置内の音声信号処理回路の機能ブロック例を表す図である。
【図３２】支持部が省略されたときの表示装置の側面構成例を表す図である。
【図３３】図３２の表示装置の背面構成例を表す図である。
【発明を実施するための形態】
【０００８】
以下、本開示を実施するための形態について、図面を参照して詳細に説明する。以下の説明は本開示の一具体例であって、本開示は以下の態様に限定されるものではない。
【０００９】
＜１．第１の実施の形態＞
[構成]
本開示の第１の実施の形態に係る表示装置１について説明する。図１は、本実施の形態に係る表示装置１の側面構成例を表したものである。図２は、図１の表示装置１の背面構成例を表したものである。表示装置１は、映像表示面１０Ａに映像を表示するとともに、映像表示面１０Ａから音声を出力する。言い換えると、表示装置１は、フラットパネルスピーカを映像表示面１０Ａに内蔵しているとも言える。
【００１０】
表示装置１は、例えば、映像を表示するとともに振動板としても機能するパネル部１０と、パネル部１０の裏面に配置され、パネル部１０を振動させる加振部２０とを備えている。表示装置１は、さらに、例えば、加振部２０を制御する信号処理部３０と、パネル部１０を、回動部５０を介して支持する支持部４０とを備えている。回動部５０は、支持部４０によってパネル部１０の裏面を支持するときのパネル部１０の傾斜角を調整するためのものであり、例えば、パネル部１０および支持部４０を回動可能に支持するヒンジによって構成されている。
【００１１】
加振部２０および信号処理部３０は、パネル部１０の裏面に配置されている。パネル部１０は、パネル部１０の裏面側に、パネル部１０、加振部２０および信号処理部３０を保護するリアカバー１０Ｒを有している。リアカバー１０Ｒは、例えば、板状の金属板もしくは樹脂板によって構成されている。リアカバー１０Ｒが、回動部５０に連結されている。
【００１２】
図３は、リアカバー１０Ｒを取り外したときの、表示装置１の背面の構成例を表したものである。図３には、信号処理部３０の一具体例に相当する回路基板３０Ａが例示されている。図４は、図３のＡ−Ａ線での断面構成例を表したものである。なお、図４には、後述の加振器２１ａ（アクチュエータ）の断面構成が例示されているが、この断面構成は、他の加振器（例えば加振器２１ｂ，２１ｃ（アクチュエータ））の断面構成と同様の断面構成となっているものとする。
【００１３】
パネル部１０は、例えば、映像を表示する薄板状の表示セル１１と、空隙１５を介して表示セル１１と対向配置されたインナープレート１２（対向プレート）と、バックシャーシ１３とを有している。インナープレート１２およびバックシャーシ１３が一体化されていてもよい。表示セル１１の表面（加振部２０とは反対側の表面）が映像表示面１０Ａとなっている。パネル部１０は、さらに、例えば、表示セル１１とインナープレート１２との間に固定部材１４を有している。
【００１４】
固定部材１４は、表示セル１１とインナープレート１２とを互いに固定する機能と、空隙１５を維持するスペーサとしての機能とを有している。固定部材１４は、例えば、表示セル１１の外縁に沿って配置されている。固定部材１４は、例えば、表示セル１１が振動している時に表示セル１１の端縁が自由端として振る舞える程度の柔軟性を有していてもよい。固定部材１４は、例えば、両面に接着層を有するスポンジによって構成されている。
【００１５】
インナープレート１２は、加振器２１（２１ａ，２１ｂ，２１ｃ）を支持する基板である。インナープレート１２は、例えば、加振器２１ａ，２１ｂ，２１ｃを設置する箇所に開口（以下、「加振器用の開口」と称する。）を有している。
【００１６】
バックシャーシ１３は、インナープレート１２よりも高い剛性を有しており、インナープレート１２の撓みもしくは振動を抑える役割を有している。バックシャーシ１３は、例えば、インナープレート１２の開口（例えば、加振器用の開口）と対向する位置に開口を有している。バックシャーシ１３に設けられた開口のうち、加振器用の開口と対向する位置に設けられた開口は、加振器２１ａ，２１ｂ，２１ｃを挿通することが可能な大きさとなっている。バックシャーシ１３は、例えば、ガラス基板によって構成されている。なお、バックシャーシ１３の代わりに、バックシャーシ１３と同等の剛性を有する金属基板または樹脂基板が設けられていてもよい。
【００１７】
加振部２０は、例えば、３つの加振器２１ａ，２１ｂ，２１ｃを有している。加振器２１ａ，２１ｂ，２１ｃは、互いに共通の構成となっている。
【００１８】
加振器２１ａは、表示セル１１を裏面から見たときに、左寄りに配置されている。加振器２１ｂは、表示セル１１を裏面から見たときに、右寄りに配置されている。加振器２１ｃは、表示セル１１を裏面から見たときに、左右方向において中央に配置されている。加振器２１ａ，２１ｂ，２１ｃは、例えば、表示セル１１の左右方向に並んで配置されている。加振器２１ａ，２１ｂ，２１ｃは、例えば、上下方向において中央よりもやや上寄りに配置されている。加振器２１ａ，２１ｂ，２１ｃは、それぞれ、例えば、ボイスコイルと、ボイスコイルを巻き付けるボビンと、磁気回路とを有し、振動源となるスピーカ用アクチュエータである。加振器２１ａ，２１ｂ，２１ｃは、それぞれ、ボイスコイルに電気信号の音声電流が流れると、電磁作用の原理に従ってボイスコイルに駆動力を発生させる。この駆動力が後述の振動伝達部材２４を介して表示セル１１に伝達され、表示セル１１に音声電流の変化に応じた振動を発生させ、空気が振動して音圧が変化する。
【００１９】
加振部２０は、さらに、例えば、加振器２１ａ，２１ｂ，２１ｃごとに、固定部２３および振動伝達部材２４を有している。
【００２０】
固定部２３は、例えば、加振器２１ａ，２１ｂ，２１ｃを挿通させた状態で固定する開口２３ａを有している。固定部２３は、さらに、例えば、固定部２３を凸部１２Ａに固定する際に使用するネジを挿通させるための複数のネジ穴２３ｂを有している。各加振器２１ａ，２１ｂ，２１ｃは、例えば、固定部２３を介して、インナープレート１２に固定されている。固定部２３は、例えば、加振器２１ａ，２１ｂ，２１ｃをインナープレート１２に固定する他に、加振器２１ａ，２１ｂ，２１ｃから発生した熱を放散させるヒートシンクの機能を有していてもよい。
【００２１】
振動伝達部材２４は、例えば、表示セル１１の裏面と、加振器２１ａ，２１ｂ，２１ｃのボビンとに接しており、表示セル１１の裏面と、加振器２１ａ，２１ｂ，２１ｃのボビンとに固定されている。振動伝達部材２４は、少なくとも、音波領域（２０Ｈｚ以上）では反発する特性を有する部材によって構成されている。振動伝達部材２４は、例えば、両面テープ、低反発ウレタン、または、接着剤等によって構成されている。
【００２２】
パネル部１０は、例えば、図４に示したように、表示セル１１とインナープレート１２との間に制振部材１６を有している。制振部材１６は、各加振器２１ａ，２１ｂ，２１ｃによって表示セル１１に生じる振動が互いに干渉するのを妨げる作用を有する。制振部材１６は、例えば、加振器２１ａ，２１ｂ，２１ｃによって発生する振動に対する音波領域（２０Ｈｚ以上）での反射を制御可能な材料を含んで構成されていてもよい。また、制振部材１６は、例えば、加振器２１ａ，２１ｂ，２１ｃによって発生する振動または残響を吸収可能な材料を含んで構成されていてもよい。制振部材１６は、表示セル１１とインナープレート１２との間隙、つまり、空隙１５の中に配置されている。制振部材１６は、表示セル１１の裏面およびインナープレート１２の表面のうち、少なくともに表示セル１１の裏面に固定されている。制振部材１６は、例えば、インナープレート１２の表面に接している。
【００２３】
制振部材１６は、例えば、接着層（もしくは粘着層）、スポンジ層、基材層、スポンジ層および接着層（もしくは粘着層）が表示セル１１側からこの順に積層された積層体となっている。表示セル１１側の接着層は、表示セル１１の裏面に接しており、制振部材１６を表示セル１１の裏面に固定している。２つのスポンジ層は、上述の作用をもたらす層である。２つのスポンジ層は、例えば、自立性に乏しい柔軟部材によって構成されている。このとき、制振部材１６は、自立性に乏しい柔軟部材としてスポンジを有し、さらに、そのスポンジを表示セル１１の裏面に固定する粘着層または接着層とを有している。
【００２４】
なお、制振部材１６は、上述の作用を有している限りにおいて、上記の構成に限定されるものではない。制振部材１６は、例えば、自立性に乏しい柔軟部材として粘着剤または接着剤を有していてもよい。制振部材１６は、例えば、振動伝達部材２４、または、固定部２３と同様の構成となっていてもよい。制振部材１６は、例えば、表示セル１１に固定されたマグネットシート、または、表示セル１１およびインナープレート１２に固定された面ファスナーであってもよい。
【００２５】
図５は、制振部材１６の平面構成例を表したものである。ここで、表示セル１１の裏面において、加振器２１ａと対向する位置を加振点１７ａとし、加振器２１ｂと対向する位置を加振点１７ｂとし、加振器２１ｃと対向する位置を加振点１７ｃとする。このとき、制振部材１６は、表示セル１１の裏面を、加振点１７ａを含む区画領域１５ａと、加振点１７ｂを含む区画領域１５ｂと、加振点１７ｃを含む区画領域１５ｃとに区画する。制振部材１６は、例えば、図５に示したように、区画領域１５ａ，１５ｂ，１５ｃを形成する１つの部材によって構成されていてもよい。制振部材１６は、例えば、区画領域１５ａ，１５ｂ，１５ｃごとに分離して形成された部材によって構成されていてもよい。制振部材１６は、例えば、区画領域１５ａ，１５ｂ，１５ｃのうち少なくとも１つが他の区画領域を形成する部材とは分離された部材によって構成されていてもよい。
【００２６】
制振部材１６は、例えば、図５に示したように、加振点１７ａ，１７ｂ，１７ｃ（または加振器２１ａ，２１ｂ，２１ｃ）が区画領域１５ａ，１５ｂ，１５ｃの中心から外れた位置となるように構成されていてもよい。定在波の抑制の観点からは、加振点１７ａ，１７ｂ，１７ｃ（または加振器２１ａ，２１ｂ，２１ｃ）が区画領域１５ａ，１５ｂ，１５ｃの中心から外れた位置となっていることが好ましい。「区画領域１５ａ，１５ｂ，１５ｃの中心」とは、区画領域１５ａ，１５ｂ，１５ｃが図５に示したような方形状となっている場合には、例えば、各区画領域１５ａ，１５ｂ，１５ｃにおける、上下左右の中心位置を指している。「区画領域１５ａ，１５ｂ，１５ｃの中心」とは、区画領域１５ａ，１５ｂ，１５ｃが制振部材１６によって囲まれている場合には、例えば、各区画領域１５ａ，１５ｂ，１５ｃにおける、上下最短距離の中心線と、左右最短距離の中心線との交点を指している。
【００２７】
制振部材１６は、例えば、図５に示したように、表示セル１１の裏面において各区画領域１５ａ，１５ｂ，１５ｃが閉領域となるように形成されていてもよい。制振部材１６は、例えば、表示セル１１の裏面において各区画領域１５ａ，１５ｂ，１５ｃが互いに連通するとともに区画されるように形成されていてもよい。
【００２８】
制振部材１６は、例えば、図５に示したように、左右両脇の区画領域１５ａ，１５ｂの大きさが中央の区画領域１５ｃの大きさよりも小さくなっていてもよい。左右両脇の区画領域１５ａ，１５ｂの大きさが中央の区画領域１５ｃの大きさよりも小さくなっている場合には、加振器２１ｃの振動によって、表示セル１１の中央部分から、低音域が出やすくなり、高音域が出にくくなる。さらに、加振器２１ａ，２１ｂの振動によって、表示セル１１の左右両脇の部分から、高音域が出やすくなり、低音域が出にくくなる。
【００２９】
制振部材１６は、例えば、左右両脇の区画領域１５ａ，１５ｂの大きさが中央の区画領域１５ｃの大きさよりも大きくなっていてもよい。左右両脇の区画領域１５ａ，１５ｂの大きさが中央の区画領域１５ｃの大きさよりも大きくなっている場合には、加振器２１ｃの振動によって、表示セル１１の中央部分から、高音域が出やすくなり、低音域が出にくくなる。さらに、加振器２１ａ，２１ｂの振動によって、表示セル１１の左右両脇の部分から、低音域が出やすくなり、高音域が出にくくなる。
【００３０】
パネル部１０は、さらに、例えば、図４に示したように、インナープレート１２とバックシャーシ１３との間に配置された接着層１８もしくは粘着層１９を有している。接着層１８もしくは粘着層１９は、インナープレート１２とバックシャーシ１３とを互いに固定するための層である。
【００３１】
接着層１８もしくは粘着層１９は、互いに隣接する２つの加振器２１ａ，２１ｂによって表示セル１１に生じる振動同士が互いに干渉するのを妨げる作用を有する。接着層１８もしくは粘着層１９は、さらに、互いに隣接する２つの加振器２１ｂ，２１ｃによって表示セル１１に生じる振動同士が互いに干渉するのを妨げる作用を有する。
【００３２】
接着層１８もしくは粘着層１９は、例えば、加振器２１ａ，２１ｂ，２１ｃによって発生する振動に対する音波領域（２０Ｈｚ以上）での反射を制御可能な材料を含んで構成されていてもよい。また、接着層１８もしくは粘着層１９は、例えば、加振器２１ａ，２１ｂ，２１ｃによって発生する振動または残響を吸収可能な材料を含んで構成されていてもよい。
【００３３】
図６は、信号処理部３０の機能ブロック例を表したものである。信号処理部３０（回路基板３０Ａ）は、例えば、受信回路３１を有している。受信回路３１は、受信する信号の種類に応じた構成となっている。例えば、受信回路３１がテレビ放送信号を受信する場合、受信回路３１は、例えば、アンテナ端子、デジタルチューナおよびデマルチプレクサを有している。
【００３４】
アンテナ端子は、受信アンテナ（図示せず）で受信されたテレビ放送信号を入力する端子である。デジタルチューナは、例えば、アンテナ端子に入力されたテレビ放送信号を処理して、ユーザの選択チャネルに対応した所定のトランスポートストリームを出力する。デマルチプレクサは、例えば、デジタルチューナで得られたトランスポートストリームから、ユーザの選択チャネルに対応したパーシャルＴＳ（Transport Stream）を抽出し、抽出したパーシャルＴＳをプロセッサ３２に出力する。
【００３５】
例えば、受信回路３１がインターネット回線を介してＩＰ（Internet Protocol）信号を受信する場合、受信回路３１は、インターネット回線を介してＩＰ信号を受信し、受信したＩＰ信号に対して、例えば、ＩＰネットワークでの標準的なプロトコル処理を行う。受信回路３１は、さらに、プロトコル処理を行った信号から、ユーザの選択チャネルに対応したパーシャルＴＳを抽出し、抽出したパーシャルＴＳをプロセッサ３２に出力する。
【００３６】
信号処理部３０（回路基板３０Ａ）は、さらに、例えば、プロセッサ３２を有している。プロセッサ３２は、表示装置１の各部の動作を制御する。プロセッサ３２は、例えば、受信回路３１で得られたパーシャルＴＳをデコーダ３３に送信する。信号処理部３０（回路基板３０Ａ）は、さらに、例えば、デコーダ３３、映像信号処理回路３４、グラフィックス生成回路３５、パネルドライバ３６、音声信号処理回路３７および音声デバイスドライバ３８を有している。
【００３７】
デコーダ３３は、例えば、受信回路３１で得られたパーシャルＴＳに含まれる映像ＰＥＳ(Packetized Elementary Stream)パケットに対してデコード処理を行うことにより映像データを得る。デコーダ３３は、また、例えば、受信回路３１で得られたパーシャルＴＳに含まれる音声ＰＥＳパケットに対してデコード処理を行うことにより音声データを得る。
【００３８】
映像信号処理回路３４およびグラフィックス生成回路３５は、例えば、デコーダ３３で得られた映像データに対して、必要に応じてマルチ画像処理、グラフィックスデータの重畳処理等を行う。映像信号処理回路３４は、映像データに対して所定の処理を行い、所定の処理を行った映像データをグラフィックス生成回路３５に出力する。グラフィックス生成回路３５は、例えば、画面表示の際に使用するＵＩ（User Interface）画面を生成する。パネルドライバ３６は、例えば、グラフィックス生成回路３５から出力された映像データに基づいてパネル部１０を駆動する。
【００３９】
音声信号処理回路３７は、例えば、デコーダ３３で得られた音声データ（外部信号から得られたＬ信号ＳＬ，Ｒ信号ＳＲ）に対して所定の処理を行うとともに、Ｄ／Ａ変換等の処理を行う。音声信号処理回路３７は、例えば、加振器２１ａに供給する信号（例えば、Ｌ信号３０ａ）、加振器２１ｂに供給する信号（例えば、Ｒ信号３０ｂ）、加振器２１ｃに供給する信号（例えば、Ｃ信号３０ｃ）を生成する。音声デバイスドライバ３８は、例えば、音声信号処理回路３７から出力された各種音声信号を増幅して、加振部２０に供給することにより、加振部２０を駆動する。
【００４０】
図７は、音声信号処理回路３７の機能ブロック例を表したものである。なお、図７では、Ｄ／Ａ変換器が省略されている。音声信号処理回路３７は、デコーダ３３から得られた音声データ（Ｌ信号ＳＬ，Ｒ信号ＳＲ）に対してＤ／Ａ変換を行うことにより、Ｌ信号３０ａおよびＲ信号３０ｂを生成する。音声信号処理回路３７は、さらに、Ｌ信号３０ａおよびＲ信号３０ｂに基づいて、Ｃ信号３０ｃを生成する。
【００４１】
音声信号処理回路３７は、Ｌ信号ＳＬをＨＰＦ３７Ｂに通すことにより、所定の低域がカット（または減衰）されたＬ信号３０ａを生成する。ＨＰＦ３７Ｂは、Ｌ信号ＳＬにおける所定の低域をカットする（または減衰させる）ことによりＬ信号３０ａを生成する。音声信号処理回路３７は、Ｒ信号ＳＲをＨＰＦ３７Ｃに通すことにより、所定の低域がカット（または減衰）されたＲ信号３０ｂを生成する。ＨＰＦ３７Ｂは、Ｒ信号ＳＲにおける所定の低域をカットする（または減衰させる）ことによりＲ信号３０ｂを生成する。
【００４２】
音声信号処理回路３７は、Ｌ信号ＳＬおよびＲ信号ＳＲをＣ信号生成部３７Ａに通すことにより、Ｌ信号ＳＬおよびＲ信号ＳＲに基づいたＣ信号３０ｃ’を生成する。Ｃ信号生成部３７Ａは、Ｌ信号ＳＬおよびＲ信号ＳＲに基づいて、Ｃ信号３０ｃ’を生成する。音声信号処理回路３７は、Ｃ信号３０ｃ’をＨＰＦ３７Ｄに通すことにより、所定の低域がカット（または減衰）されたＣ信号３０ｃを生成する。ＨＰＦ３７Ｄは、Ｃ信号３０ｃ’における所定の低域をカットする（または減衰させる）ことによりＣ信号３０ｃを生成する。
【００４３】
図８は、ＨＰＦ３７Ｂ、ＨＰＦ３７ＣおよびＨＰＦ３７Ｄにおけるゲインの一例を表したものである。本変形例では、ＨＰＦ３７Ｂ、ＨＰＦ３７ＣおよびＨＰＦ３７Ｄにおけるカットオフ周波数が、小音量時には、ｆ１となっており、大音量時には、ｆ２（＞ｆ１）となる。このようにすることにより、大音量時に、Ｌ信号ＳＬおよびＲ信号ＳＲに含まれる低音域の信号がカット（または減衰）される。その結果、Ｌ信号ＳＬおよびＲ信号ＳＲに含まれる低音域の信号によって表示セル１１に画面揺れが生じるのを抑えることができる。
【００４４】
ＨＰＦ３７Ｂ、ＨＰＦ３７ＣおよびＨＰＦ３７Ｄにおけるカットオフ周波数の変動は、例えば、音声デバイスドライバ３８の出力端に、パネル部１０の代わりに抵抗器を接続し、その抵抗器に流れる信号をシグナルアナライザ等で解析することにより、特定することが可能である。
【００４５】
なお、本変形例において、音声信号処理回路３７は、ＨＰＦ３７Ｂ、ＨＰＦ３７ＣおよびＨＰＦ３７Ｄにおけるカットオフ周波数を、音量の大きさに応じて変動させてもよい。音声信号処理回路３７は、例えば、ＨＰＦ３７Ｂ、ＨＰＦ３７ＣおよびＨＰＦ３７Ｄにおけるカットオフ周波数を、音量が大きくなるにつれて大きくしてもよい。このようにすることにより、その結果、Ｌ信号ＳＬおよびＲ信号ＳＲに含まれる低音域の信号によって表示セル１１に画面揺れが生じるのを効果的に抑えることができる。
【００４６】
[効果]
次に、本実施の形態に係る表示装置１の効果について説明する。
【００４７】
ディスプレイの薄型軽量化が急激な伸長を遂げている。それに伴い、スピーカについても薄型軽量化が進み、コーン型スピーカに代わって、フラットパネルスピーカ（ＦＰＳ）を用いることが提案されている。さらに、フラットパネルスピーカにおける振動板として、ディスプレイパネルを用いることも提案されている。フラットパネルスピーカの分野では、音質の更なる向上が求められている。
【００４８】
一方、本実施の形態に係る表示装置１では、大音量時に、外部信号から得られた音声信号（Ｌ信号ＳＬ，Ｒ信号ＳＲ）における所定の低域を減衰させることにより、Ｌ信号３０ａ、Ｒ信号３０ｂおよびＣ信号３０ｃが生成される。これにより、Ｌ信号ＳＬおよびＲ信号ＳＲに含まれる低音域の信号によって表示セル１１に画面揺れが生じるのを抑えることができる。
【００４９】
＜２．第１の実施の形態の変形例＞
次に、上記第１の実施の形態に係る表示装置１の変形例について説明する。
【００５０】
[変形例Ａ]
上記第１の実施の形態に係る表示装置１において、音声信号処理回路３７は、さらに、例えば、図９に示したように、ＬＣ信号生成部３７ＧおよびＲＣ信号生成部３７Ｈを有していてもよい。
【００５１】
音声信号処理回路３７は、Ｌ信号ＳＬおよびＣ信号３０ｃ’をＬＣ信号生成部３７Ｇに通すことにより、ＨＰＦ３７Ｂに入力する信号（ＬＣ信号３０ｆ’）を生成する。ＬＣ信号生成部３７Ｇは、Ｌ信号ＳＬおよびＣ信号３０ｃ’に基づいて、ＬＣ信号３０ｆ’を生成する。音声信号処理回路３７は、ＬＣ信号３０ｆ’をＨＰＦ３７Ｂに通すことにより、加振器２１ａに供給する信号（ＬＣ信号３０ｆ）を生成する。ＨＰＦ３７Ｂは、ＬＣ信号３０ｆ’における所定の低域をカットする（または減衰させる）ことによりＬＣ信号３０ｆを生成する。
【００５２】
音声信号処理回路３７は、Ｒ信号ＳＲおよびＣ信号３０ｃ’をＲＣ信号生成部３７Ｈに通すことにより、ＨＰＦ３７Ｃに入力する信号（ＲＣ信号３０ｇ’）を生成する。ＲＣ信号生成部３７Ｈは、Ｒ信号ＳＲおよびＣ信号３０ｃ’に基づいて、ＲＣ信号３０ｇ’を生成する。音声信号処理回路３７は、ＲＣ信号３０ｇ’をＨＰＦ３７Ｃに通すことにより、加振器２１ｂに供給する信号（ＲＣ信号３０ｇ）を生成する。ＨＰＦ３７Ｃは、ＲＣ信号３０ｇ’における所定の低域をカットする（または減衰させる）ことによりＲＣ信号３０ｇを生成する。
【００５３】
ＬＣ信号生成部３７Ｇは、小音量時には、Ｌ信号ＳＬを出力し、大音量時には、ＬＣ信号３０ｆ’を出力する。ＲＣ信号生成部３７Ｈは、小音量時には、Ｒ信号ＳＲを出力し、大音量時には、ＲＣ信号３０ｇ’を出力する。このように、本変形例では、小音量時には、Ｌ信号３０ａおよびＲ信号３０ｂが加振点１７ａ，１７ｂに供給され、大音量時には、Ｃ信号３０ｃを用いて補正されたＬＣ信号３０ｆおよびＲＣ信号３０ｇが、加振点１７ａ，１７ｂに供給される。これにより、常にＬ信号３０ａおよびＲ信号３０ｂを加振器２１ａ，２１ｂに供給した場合と比べて、大音量時にも、ＬＣＲチャネルの音圧バランスを保つことができる。従って、音声品質を向上させることができる。
【００５４】
ＬＣ信号生成部３７ＧおよびＲＣ信号生成部３７Ｈにおける、出力信号の切り替えは、例えば、音声デバイスドライバ３８の出力端に、パネル部１０の代わりに抵抗器を接続し、その抵抗器に流れる信号をシグナルアナライザ等で解析することにより、特定することが可能である。
【００５５】
[変形例Ｂ]
上記第１の実施の形態およびその変形例に係る表示装置１において、パネル部１０は、例えば、図１０に示したように、区画領域１５ａ，１５ｂ，１５ｃごとに複数個ずつ、加振器２１を有していてもよい。本変形例では、パネル部１０は、例えば、区画領域１５ａに複数個（例えば２個）の加振器２１ａを有していてもよい。同様に、上記実施の形態に係る表示装置１において、パネル部１０は、区画領域１５ｂに複数個（例えば２個）の加振器２１ｂを有していてもよい。同様に、上記実施の形態に係る表示装置１において、パネル部１０は、区画領域１５ｃに複数個（例えば２個）の加振器２１ｃを有していてもよい。
【００５６】
このとき、複数個の加振器２１に対応する複数個の加振点１７は、例えば、図１１に示したように、各区画領域１５ａ，１５ｂ，１５ｃにおいて、一列に並んで配置されている。ここで、複数個の加振点１７は、例えば、図１１に示したように、各区画領域１５ａ，１５ｂ，１５ｃにおいて、表示セル１１の上下方向に並んで配置されている。複数個の加振点１７は、例えば、各区画領域１５ａ，１５ｂ，１５ｃにおいて、表示セル１１の左右方向に並んで配置されていてもよい。複数個の加振点１７は、例えば、各区画領域１５ａ，１５ｂにおいて、表示セル１１の上下方向に並んで配置されるとともに、区画領域１５ｃにおいて、表示セル１１の左右方向に並んで配置されていてもよい。
【００５７】
[変形例Ｃ]
上記第１の実施の形態およびその変形例に係る表示装置１は、例えば、図１２、図１３に示したように、低音域スピーカ部６０を更に備えていてもよい。図１２は、本変形例に係る表示装置１の側面構成例を表したものである。図１３は、本変形例に係る表示装置１の背面構成例を表したものである。
【００５８】
低音域スピーカ部６０は、例えば、支持部４０内に設けられている。低音域スピーカ部６０は、表示装置１の背面からみたときに相対的に左側に配置された低音域スピーカ６１ａと、表示装置１の背面からみたときに相対的に右側に配置された低音域スピーカ６１ｂとを有している。
【００５９】
図１４は、信号処理部３０の機能ブロック例を表したものである。図１５は、音声信号処理回路３７の機能ブロック例を表したものである。なお、図１５では、Ｄ／Ａ変換器が省略されている。音声信号処理回路３７は、例えば、デコーダ３３で得られた音声データ（Ｌ信号ＳＬ，Ｒ信号ＳＲ）に対して所定の処理を行うとともに、Ｄ／Ａ変換等の処理を行う。音声信号処理回路３７は、例えば、加振器２１ａに供給する信号（例えば、Ｌ信号３０ａ）、加振器２１ｂに供給する信号（例えば、Ｒ信号３０ｂ）、加振器２１ｃに供給する信号（例えば、Ｃ信号３０ｃ）、低音域スピーカ６１ａに供給する信号（例えば、ＬＷ信号３０ｄ）、および低音域スピーカ６１ｂに供給する信号（例えば、ＲＷ信号３０ｅ）を生成する。音声デバイスドライバ３８は、例えば、音声信号処理回路３７から出力された各種音声信号を増幅して、加振部２０および低音域スピーカ部６０に供給することにより、加振部２０および低音域スピーカ部６０を駆動する。
【００６０】
音声信号処理回路３７は、Ｌ信号ＳＬをＨＰＦ３７Ｂに通すことにより、所定の低域がカット（または減衰）されたＬ信号３０ａを生成する。ＨＰＦ３７Ｂは、Ｌ信号ＳＬにおける所定の低域をカットする（または減衰させる）ことによりＬ信号３０ａを生成する。音声信号処理回路３７は、Ｒ信号ＳＲをＨＰＦ３７Ｃに通すことにより、所定の低域がカット（または減衰）されたＲ信号３０ｂを生成する。ＨＰＦ３７Ｃは、Ｒ信号ＳＲにおける所定の低域をカットする（または減衰させる）ことによりＲ信号３０ｂを生成する。
【００６１】
音声信号処理回路３７は、Ｌ信号ＳＬおよびＲ信号ＳＲをＣ信号生成部３７Ａに通すことにより、Ｌ信号ＳＬおよびＲ信号ＳＲに基づいたＣ信号３０ｃ’を生成する。Ｃ信号生成部３７Ａは、Ｌ信号ＳＬおよびＲ信号ＳＲに基づいて、Ｃ信号３０ｃ’を生成する。音声信号処理回路３７は、Ｃ信号３０ｃ’をＨＰＦ３７Ｄに通すことにより、所定の低域がカット（または減衰）されたＣ信号３０ｃを生成する。ＨＰＦ３７Ｄは、Ｃ信号３０ｃ’における所定の低域をカットする（または減衰させる）ことによりＣ信号３０ｃを生成する。
【００６２】
音声信号処理回路３７は、Ｌ信号ＳＬおよびＣ信号３０ｃをＬＷ信号生成部３７Ｅに通すことにより、ＬＷ信号３０ｄを生成する。ＬＷ信号生成部３７Ｅは、Ｌ信号ＳＬおよびＣ信号３０ｃに基づいて、ＬＷ信号３０ｄを生成する。音声信号処理回路３７は、Ｒ信号ＳＲおよびＣ信号３０ｃをＲＷ信号生成部３７Ｆに通すことにより、ＲＷ信号３０ｅを生成する。ＲＷ信号生成部３７Ｆは、Ｒ信号ＳＲおよびＣ信号３０ｃに基づいて、ＲＷ信号３０ｅを生成する。つまり、本変形例に係る表示装置１は、３．２ｃｈの音響システムとなっている。
【００６３】
本変形例では、ＨＰＦ３７Ｂ、ＨＰＦ３７ＣおよびＨＰＦ３７Ｄにおけるカットオフ周波数が、小音量時には、ｆ１となっており、大音量時には、ｆ２（＞ｆ１）となる。このようにすることにより、大音量時に、Ｌ信号ＳＬおよびＲ信号ＳＲに含まれる低音域の信号がカット（または減衰）される。その結果、Ｌ信号ＳＬおよびＲ信号ＳＲに含まれる低音域の信号によって表示セル１１に画面揺れが生じるのを抑えることができる。
【００６４】
なお、本変形例において、音声信号処理回路３７は、ＨＰＦ３７Ｂ、ＨＰＦ３７ＣおよびＨＰＦ３７Ｄにおけるカットオフ周波数を、音量の大きさに応じて変動させてもよい。音声信号処理回路３７は、例えば、ＨＰＦ３７Ｂ、ＨＰＦ３７ＣおよびＨＰＦ３７Ｄにおけるカットオフ周波数を、音量が大きくなるにつれて大きくしてもよい。このようにすることにより、その結果、Ｌ信号ＳＬおよびＲ信号ＳＲに含まれる低音域の信号によって表示セル１１に画面揺れが生じるのを効果的に抑えることができる。
【００６５】
また、本変形例では、Ｃ信号３０ｃを用いて、Ｌ信号３０ａおよびＲ信号３０ｂを補正することにより得られた信号（ＬＷ信号３０ｄ，ＲＷ信号３０ｅ）が、低音域スピーカ部６０に供給される。これにより、加振器２１ａ，２１ｂ，２１ｃの特性に適したウーハ―特性の音声信号を低音域スピーカ部６０に供給することができる。従って、低音域の音声品質を向上させることができる。
【００６６】
[変形例Ｄ]
上記変形例Ｃにおいて、加振点１７ａ，１７ｂ，１７ｃおよび低音域スピーカ６１ａ，６１ｂの位置は、表示セル１１の左右方向において対称（左右対称）となっていることが好ましい。例えば、図１６に示したように、加振点１７ｃが表示セル１１の左右方向における中心位置に配置されており、かつ、加振点１７ａと加振点１７ｂとの距離Ｄ１と、加振点１７ｂと加振点１７ｃとの距離Ｄ２とが互いに等しくなっていることが好ましい。さらに、例えば、図１５に示したように、低音域スピーカ６１ａが、距離Ｄ１の中心を通る、表示セル１１の上下方向に延在する線ＣＬ１上に配置されるとともに、低音域スピーカ６１ｂが、距離Ｄ２の中心を通る、表示セル１１の上下方向に延在する線ＣＬ２上に配置されていることが好ましい。
【００６７】
このようにすることにより、加振点１７ａと、低音域スピーカ６１ａとの距離と、加振点１７ｃと、低音域スピーカ６１ａとの距離とを互いに等しくすることができる。さらに、加振点１７ｃと、低音域スピーカ６１ｂとの距離と、加振点１７ｂと、低音域スピーカ６１ｂとの距離とを互いに等しくすることができる。さらに、加振点１７ａ，１７ｂ，１７ｃおよび低音域スピーカ６１ａ，６１ｂを振動源と総称したときに、互いに隣接する２つの振動源の、面内における距離を、互いに等しくすることができる。その結果、全ての加振点１７ａ，１７ｂ，１７ｃおよび低音域スピーカ６１ａ，６１ｂの位相を合わせることができる。その結果、音声品質を向上させることができる。
【００６８】
なお、図１６には、１つの加振点１７ａしか示されていないが、２つの加振点１７ａ、または３つ以上の加振点１７ａが互いに隣接して設けられていてもよい。同様に、図１６には、１つの加振点１７ｂしか示されていないが、２つの加振点１７ｂ、または３つ以上の加振点１７ｂが互いに隣接して設けられていてもよい。同様に、図１６には、１つの加振点１７ｃしか示されていないが、２つの加振点１７ｃ、または３つ以上の加振点１７ｃが互いに隣接して設けられていてもよい。
【００６９】
[変形例Ｅ]
上記変形例Ｃ，Ｄにおいて、音声信号処理回路３７は、さらに、例えば、図１７に示したように、ＬＣ信号生成部３７ＧおよびＲＣ信号生成部３７Ｈを有していてもよい。
【００７０】
音声信号処理回路３７は、Ｌ信号ＳＬおよびＣ信号３０ｃ’をＬＣ信号生成部３７Ｇに通すことにより、ＨＰＦ３７Ｂに入力する信号（ＬＣ信号３０ｆ’）を生成する。ＬＣ信号生成部３７Ｇは、Ｌ信号ＳＬおよびＣ信号３０ｃ’に基づいて、ＬＣ信号３０ｆ’を生成する。音声信号処理回路３７は、ＬＣ信号３０ｆ’をＨＰＦ３７Ｂに通すことにより、加振器２１ａに供給する信号（ＬＣ信号３０ｆ）を生成する。ＨＰＦ３７Ｂは、ＬＣ信号３０ｆ’における所定の低域をカットする（または減衰させる）ことによりＬＣ信号３０ｆを生成する。
【００７１】
音声信号処理回路３７は、Ｒ信号ＳＲおよびＣ信号３０ｃ’をＲＣ信号生成部３７Ｈに通すことにより、ＨＰＦ３７Ｃに入力する信号（ＲＣ信号３０ｇ’）を生成する。ＲＣ信号生成部３７Ｈは、Ｒ信号ＳＲおよびＣ信号３０ｃ’に基づいて、ＲＣ信号３０ｇ’を生成する。音声信号処理回路３７は、ＲＣ信号３０ｇ’をＨＰＦ３７Ｃに通すことにより、加振器２１ｂに供給する信号（ＲＣ信号３０ｇ）を生成する。ＨＰＦ３７Ｃは、ＲＣ信号３０ｇ’における所定の低域をカットする（または減衰させる）ことによりＲＣ信号３０ｇを生成する。
【００７２】
ＬＣ信号生成部３７Ｇは、小音量時には、Ｌ信号ＳＬを出力し、大音量時には、ＬＣ信号３０ｆ’を出力する。ＲＣ信号生成部３７Ｈは、小音量時には、Ｒ信号ＳＲを出力し、大音量時には、ＲＣ信号３０ｇ’を出力する。このように、本変形例では、小音量時には、Ｌ信号３０ａおよびＲ信号３０ｂが加振点１７ａ，１７ｂに供給され、大音量時には、Ｃ信号３０ｃを用いて補正されたＬＣ信号３０ｆおよびＲＣ信号３０ｇが、加振点１７ａ，１７ｂに供給される。これにより、常にＬ信号３０ａおよびＲ信号３０ｂを加振器２１ａ，２１ｂに供給した場合と比べて、大音量時にも、ＬＣＲチャネルの音圧バランスを保つことができる。従って、音声品質を向上させることができる。
【００７３】
ＬＣ信号生成部３７ＧおよびＲＣ信号生成部３７Ｈにおける、出力信号の切り替えは、例えば、音声デバイスドライバ３８の出力端に、パネル部１０の代わりに抵抗器を接続し、その抵抗器に流れる信号をシグナルアナライザ等で解析することにより、特定することが可能である。
【００７４】
[変形例Ｆ]
上記第１の実施の形態およびその変形例において、音声信号処理回路３７は、例えば、図１８、図１９、図２０に示したように、表示セル１１の大きさに応じて、ＬＲチャネルの出力音圧Ｐａ，Ｐｂと、Ｃチャネルの出力音圧Ｐｃとの大小関係を調整する。
【００７５】
音声信号処理回路３７は、例えば、図１８に示したように、表示セル１１のサイズが比較的小さい部類に属する場合には、ＬＲチャネルの出力音圧Ｐａ，Ｐｂを、Ｃチャネルの出力音圧Ｐｃよりも大きくする。このようにすることにより、表示セル１１のサイズが比較的小さい部類に属する場合であっても、音の広がりをユーザに感じさせることができ、しかも、Ｃチャネルの音の聞き取り易さを最適化することができる。
【００７６】
音声信号処理回路３７は、例えば、図１９に示したように、表示セル１１のサイズが中型の部類に属する場合には、ＬＲチャネルの出力音圧Ｐａ，Ｐｂを、Ｃチャネルの出力音圧Ｐｃと同じか、ほぼ同じにする。このようにすることにより、表示セル１１のサイズが中型の部類に属する場合であっても、音の広がりをユーザに感じさせることができ、しかも、Ｃチャネルの音の聞き取り易さを最適化することができる。
【００７７】
音声信号処理回路３７は、例えば、図２０に示したように、表示セル１１のサイズが比較的大きい部類に属する場合には、Ｃチャネルの出力音圧Ｐｃを、ＬＲチャネルの出力音圧Ｐａ，Ｐｂよりも大きくする。このようにすることにより、表示セル１１のサイズが比較的大きい部類に属する場合であっても、音の広がりをユーザに感じさせることができ、しかも、Ｃチャネルの音の聞き取り易さを最適化することができる。
【００７８】
なお、図１８、図１９、図２０には、１つの加振点１７ａしか示されていないが、２つの加振点１７ａ、または３つ以上の加振点１７ａが互いに隣接して設けられていてもよい。同様に、図１８、図１９、図２０には、１つの加振点１７ｂしか示されていないが、２つの加振点１７ｂ、または３つ以上の加振点１７ｂが互いに隣接して設けられていてもよい。同様に、図１８、図１９、図２０には、１つの加振点１７ｃしか示されていないが、２つの加振点１７ｃ、または３つ以上の加振点１７ｃが互いに隣接して設けられていてもよい。
【００７９】
＜３．第２の実施の形態＞
[構成]
本開示の第２の実施の形態に係る表示装置２について説明する。図２１は、本実施の形態に係る表示装置２の側面構成例を表したものである。表示装置２は、上記変形例Ｃに係る表示装置１において、加振部２０の代わりに加振部７０が設けられるとともに、信号処理部３０の代わりに信号処理部８０が設けられた構成となっている。図２２は、表示装置２のリアカバー１０Ｒを取り外したときの、表示装置２の背面の構成例を表したものである。図２２には、信号処理部８０の一具体例に相当する回路基板８０Ａが例示されている。
【００８０】
表示装置２は、例えば、パネル部１０と、パネル部１０の裏面に配置された加振部７０と、加振部７０を制御する信号処理部８０と、パネル部１０を、回動部５０を介して支持する支持部４０と、低音域スピーカ部６０とを備えている。加振部７０および信号処理部８０は、パネル部１０の裏面に配置されている。パネル部１０は、パネル部１０の裏面側に、パネル部１０、加振部７０および信号処理部８０を保護するリアカバー１０Ｒを有している。本実施の形態において、パネル部１０は、図４に記載の断面構成と共通の断面構成を備えている。
【００８１】
加振部７０は、例えば、５つの加振器２１（２１ａ，２１ｂ，２１ｃ，２１ｄ，２１ｅ）を有している。加振器２１ａ，２１ｂ，２１ｃ，２１ｄ，２１ｅは、互いに共通の構成となっている。
【００８２】
加振器２１ａ，２１ｄは、表示セル１１を裏面から見たときに、左寄りに配置されている。加振器２１ｂ，２１ｅは、表示セル１１を裏面から見たときに、右寄りに配置されている。加振器２１ｃは、表示セル１１を裏面から見たときに、左右方向において中央に配置されている。加振器２１ａ，２１ｃは、例えば、上下方向において中央よりもやや上寄りに配置されている。加振器２１ｄ，２１ｅは、例えば、上下方向において中央よりもやや下寄りに配置されている。加振器２１ｃは、例えば、上下方向において中央に配置されている。加振器２１ａ，２１ｂ，２１ｃ，２１ｄ，２１ｅは、それぞれ、例えば、ボイスコイルと、ボイスコイルを巻き付けるボビンと、磁気回路とを有し、振動源となるスピーカ用アクチュエータである。加振器２１ａ，２１ｂ，２１ｃ，２１ｄ，２１ｅは、それぞれ、ボイスコイルに電気信号の音声電流が流れると、電磁作用の原理に従ってボイスコイルに駆動力を発生させる。この駆動力が後述の振動伝達部材２４を介して表示セル１１に伝達され、表示セル１１に音声電流の変化に応じた振動を発生させ、空気が振動して音圧が変化する。
【００８３】
加振部７０は、さらに、例えば、図４に示したように、加振器２１ａ，２１ｂ，２１ｃ，２１ｄ，２１ｅごとに、固定部２３および振動伝達部材２４を有している。固定部２３および振動伝達部材２４は、上記第１の実施の形態と同様の構成となっている。
【００８４】
パネル部１０は、例えば、図４に示したように、表示セル１１とインナープレート１２との間に制振部材１６を有している。制振部材１６は、各加振器２１ａ，２１ｂ，２１ｃ，２１ｄ，２１ｅによって表示セル１１に生じる振動が互いに干渉するのを妨げる作用を有する。
【００８５】
図２３は、制振部材１６の平面構成例を表したものである。ここで、表示セル１１の裏面において、加振器２１ａと対向する位置を加振点１７ａとし、加振器２１ｂと対向する位置を加振点１７ｂとし、加振器２１ｃと対向する位置を加振点１７ｃとし、加振器２１ｄと対向する位置を加振点１７ｄとし、加振器２１ｅと対向する位置を加振点１７ｅとする。このとき、制振部材１６は、表示セル１１の裏面を、加振点１７ａ，１７ｄを含む区画領域１５ａと、加振点１７ｂ，１７ｅを含む区画領域１５ｂと、加振点１７ｃを含む区画領域１５ｃとに区画する。
【００８６】
制振部材１６は、例えば、図２３に示したように、加振点１７ａ，１７ｂ，１７ｃ，１７ｄ，１７ｅ（または加振器２１ａ，２１ｂ，２１ｃ，２１ｄ，２１ｅ）が区画領域１５ａ，１５ｂ，１５ｃの中心から外れた位置となるように構成されていてもよい。定在波の抑制の観点からは、加振点１７ａ，１７ｂ，１７ｃ，１７ｄ，１７ｅ（または加振器２１ａ，２１ｂ，２１ｃ，２１ｄ，２１ｅ）が区画領域１５ａ，１５ｂ，１５ｃの中心から外れた位置となっていることが好ましい。「区画領域１５ａ，１５ｂ，１５ｃの中心」とは、区画領域１５ａ，１５ｂ，１５ｃが図２３に示したような方形状となっている場合には、例えば、各区画領域１５ａ，１５ｂ，１５ｃにおける、上下左右の中心位置を指している。「区画領域１５ａ，１５ｂ，１５ｃの中心」とは、区画領域１５ａ，１５ｂ，１５ｃが制振部材１６によって囲まれている場合には、例えば、各区画領域１５ａ，１５ｂ，１５ｃにおける、上下最短距離の中心線と、左右最短距離の中心線との交点を指している。
【００８７】
図２４は、信号処理部８０の機能ブロック例を表したものである。図２５は、音声信号処理回路８７の機能ブロック例を表したものである。なお、図２５では、Ｄ／Ａ変換器が省略されている。音声信号処理回路８７は、例えば、デコーダ３３で得られた音声データ（Ｌ信号ＳＬ，Ｒ信号ＳＲ）に対して所定の処理を行うとともに、Ｄ／Ａ変換等の処理を行う。音声信号処理回路８７は、例えば、加振器２１ａに供給する信号（例えば、Ｌ１信号８０ａ）、加振器２１ｄに供給する信号（例えば、Ｌ２信号８０ｄ）、加振器２１ｂに供給する信号（例えば、Ｒ１信号８０ｂ）、加振器２１ｅに供給する信号（例えば、Ｒ２信号８０ｅ）、加振器２１ｃに供給する信号（例えば、Ｃ信号８０ｃ）、低音域スピーカ６１ａに供給する信号（例えば、ＬＷ信号８０ｆ）、および低音域スピーカ６１ｂに供給する信号（例えば、ＲＷ信号８０ｇ）を生成する。音声デバイスドライバ３８は、例えば、音声信号処理回路８７から出力された各種音声信号を増幅して、加振部７０および低音域スピーカ部６０に供給することにより、加振部７０および低音域スピーカ部６０を駆動する。
【００８８】
音声信号処理回路８７は、Ｌ信号ＳＬをＬ１Ｌ２信号生成部８７Ａに通すことにより、２つの信号（Ｌ１信号８０ａ’，Ｌ２信号８０ｄ’）を生成する。Ｌ１Ｌ２信号生成部８７Ａは、Ｌ信号ＳＬに対して所定の処理を行うことにより２つの信号（Ｌ１信号８０ａ’，Ｌ２信号８０ｄ’）を生成する。音声信号処理回路８７は、さらに、Ｒ信号ＳＲをＲ１Ｒ２信号生成部８７Ｂに通すことにより、２つの信号（Ｒ１信号８０ｂ’，Ｒ２信号８０ｅ’）を生成する。Ｒ１Ｒ２信号生成部８７Ｂは、Ｒ信号ＳＲに対して所定の処理を行うことにより２つの信号（Ｒ１信号８０ｂ’，Ｒ２信号８０ｅ’）を生成する。
【００８９】
音声信号処理回路８７は、Ｌ１信号８０ａ’をＨＰＦ８７Ｄに通すことにより、所定の低域がカット（または減衰）されたＬ１信号８０ａを生成する。ＨＰＦ８７Ｄは、Ｌ１信号８０ａ’における所定の低域をカットする（または減衰させる）ことによりＬ１信号８０ａを生成する。音声信号処理回路８７は、Ｌ２信号８０ｄ’をＨＰＦ８７Ｅに通すことにより、所定の低域がカット（または減衰）されたＬ２信号８０ｄを生成する。ＨＰＦ８７Ｅは、Ｌ２信号８０ｄ’における所定の低域をカットする（または減衰させる）ことによりＬ２信号８０ｄを生成する。
【００９０】
音声信号処理回路８７は、Ｒ１信号８０ｂ’をＨＰＦ８７Ｆに通すことにより、所定の低域がカット（または減衰）されたＲ１信号８０ｂを生成する。ＨＰＦ８７Ｆは、Ｒ１信号８０ｂ’における所定の低域をカットする（または減衰させる）ことによりＲ１信号８０ｂを生成する。音声信号処理回路８７は、Ｒ２信号８０ｅ’をＨＰＦ８７Ｇに通すことにより、所定の低域がカット（または減衰）されたＲ２信号８０ｅを生成する。ＨＰＦ８７Ｇは、Ｒ２信号８０ｅ’における所定の低域をカットする（または減衰させる）ことによりＲ２信号８０ｅを生成する。
【００９１】
音声信号処理回路８７は、Ｌ信号ＳＬおよびＲ信号ＳＲをＣ信号生成部８７Ｃに通すことにより、Ｌ信号ＳＬおよびＲ信号ＳＲに基づいたＣ信号８０ｃ’を生成する。Ｃ信号生成部８７Ｃは、Ｌ信号ＳＬおよびＲ信号ＳＲに基づいて、Ｃ信号８０ｃ’を生成する。音声信号処理回路８７は、Ｃ信号８０ｃ’をＨＰＦ８７Ｈに通すことにより、所定の低域がカット（または減衰）されたＣ信号８０ｃを生成する。ＨＰＦ８７Ｈは、Ｃ信号８０ｃ’における所定の低域をカットする（または減衰させる）ことによりＣ信号８０ｃを生成する。
【００９２】
音声信号処理回路８７は、Ｌ１信号８０ａ’，Ｌ２信号８０ｄ’およびＣ信号８０ｃ’をＬＷ信号生成部８７Ｉに通すことにより、ＬＷ信号８０ｆを生成する。ＬＷ信号生成部８７Ｉは、Ｌ１信号８０ａ’，Ｌ２信号８０ｄ’およびＣ信号８０ｃ’に基づいて、ＬＷ信号８０ｆを生成する。音声信号処理回路８７は、Ｒ１信号８０ｂ’，Ｒ２信号８０ｅ’およびＣ信号８０ｃ’をＲＷ信号生成部８７Ｊに通すことにより、ＲＷ信号８０ｇを生成する。ＲＷ信号生成部８７Ｊは、Ｒ１信号８０ｂ’，Ｒ２信号８０ｅ’およびＣ信号８０ｃ’に基づいて、ＲＷ信号８０ｇを生成する。つまり、本実施の形態に係る表示装置２は、５．２ｃｈの音響システムとなっている。
【００９３】
本実施の形態では、ＨＰＦ８７Ｄ，８７Ｅ，８７Ｆ，８７Ｇ，８７Ｈにおけるカットオフ周波数が、小音量時には、ｆ１となっており、大音量時には、ｆ２（＞ｆ１）となる。このようにすることにより、大音量時に、Ｌ信号ＳＬおよびＲ信号ＳＲに含まれる低音域の信号がカット（または減衰）される。その結果、Ｌ信号ＳＬおよびＲ信号ＳＲに含まれる低音域の信号によって表示セル１１に画面揺れが生じるのを抑えることができる。
【００９４】
なお、本実施の形態において、音声信号処理回路８７は、ＨＰＦ８７Ｄ，８７Ｅ，８７Ｆ，８７Ｇ，８７Ｈにおけるカットオフ周波数を、音量の大きさに応じて変動させてもよい。音声信号処理回路８７は、例えば、ＨＰＦ８７Ｄ，８７Ｅ，８７Ｆ，８７Ｇ，８７Ｈにおけるカットオフ周波数を、音量が大きくなるにつれて大きくしてもよい。このようにすることにより、その結果、Ｌ信号ＳＬおよびＲ信号ＳＲに含まれる低音域の信号によって表示セル１１に画面揺れが生じるのを効果的に抑えることができる。
【００９５】
また、本実施の形態では、Ｃ信号８０ｃを用いて、Ｌ１信号８０ａ’，Ｌ２信号８０ｄ’およびＲ１信号８０ｂ’，Ｒ２信号８０ｅ’を補正することにより得られた信号（ＬＷ信号８０ｆ，ＲＷ信号８０ｇ）が、低音域スピーカ部６０に供給される。これにより、加振器２１ａ，２１ｂ，２１ｃ，２１ｄ，２１ｅの特性に適したウーハ―特性の音声信号を低音域スピーカ部６０に供給することができる。従って、低音域の音声品質を向上させることができる。
【００９６】
本実施の形態において、加振点１７ａ，１７ｂ，１７ｃ，１７ｄ，１７ｅおよび低音域スピーカ６１ａ，６１ｂの位置は、表示セル１１の左右方向において対称（左右対称）となっていることが好ましい。ここで、加振点１７ａ，１７ｂ，１７ｃ，１７ｄ，１７ｅおよび低音域スピーカ６１ａ，６１ｂを振動源と総称したときに、互いに隣接する２つの振動源の、面内における距離が、互いに等しくなっていることが好ましい。例えば、図２６に示したように、加振点１７ｃが表示セル１１の左右方向における中心位置に配置されており、かつ、加振点１７ａ，１７ｂ，１７ｃ，１７ｄ，１７ｅおよび低音域スピーカ６１ａ，６１ｂを振動源と総称したときに、互いに隣接する２つの振動源の、面内における距離（Ｄａ，Ｄｂ，Ｄｃ，Ｄｄ，Ｄｅ，Ｄｆ，Ｄｇ，Ｄｈ）が、互いに等しくなっていることが好ましい。
【００９７】
なお、距離Ｄａは、加振点１７ｃと低音域スピーカ６１ａとの、面内における距離である。距離Ｄｂは、低音域スピーカ６１ａと加振点１７ａとの、面内における距離である。距離Ｄｃは、低音域スピーカ６１ａと加振点１７ｄとの、面内における距離である。距離Ｄｄは、加振点１７ａと加振点１７ｄとの、面内における距離である。距離Ｄｅは、加振点１７ｃと低音域スピーカ６１ｂとの、面内における距離である。距離Ｄｆは、低音域スピーカ６１ｂと加振点１７ｂとの、面内における距離である。距離Ｄｇは、低音域スピーカ６１ｂと加振点１７ｅとの、面内における距離である。距離Ｄｈは、加振点１７ｂと加振点１７ｅとの、面内における距離である。
【００９８】
このようにすることにより、全ての加振点１７ａ，１７ｂ，１７ｃ，１７ｄ，１７ｅおよび低音域スピーカ６１ａ，６１ｂの位相を合わせることができる。その結果、音声品質を向上させることができる。
【００９９】
なお、図２６には、１つの加振点１７ａしか示されていないが、２つの加振点１７ａ、または３つ以上の加振点１７ａが互いに隣接して設けられていてもよい。同様に、図２６には、１つの加振点１７ｂしか示されていないが、２つの加振点１７ｂ、または３つ以上の加振点１７ｂが互いに隣接して設けられていてもよい。同様に、図２６には、１つの加振点１７ｃしか示されていないが、２つの加振点１７ｃ、または３つ以上の加振点１７ｃが互いに隣接して設けられていてもよい。同様に、図２６には、１つの加振点１７ｄしか示されていないが、２つの加振点１７ｄ、または３つ以上の加振点１７ｄが互いに隣接して設けられていてもよい。同様に、図２６には、１つの加振点１７ｅしか示されていないが、２つの加振点１７ｅ、または３つ以上の加振点１７ｅが互いに隣接して設けられていてもよい。
【０１００】
また本実施の形態において、音声信号処理回路８７は、さらに、例えば、図２７に示したように、Ｌ１Ｃ信号生成部８７Ｋ、Ｌ２Ｃ信号生成部８７Ｌ、Ｒ１Ｃ信号生成部８７ＭおよびＲ２Ｃ信号生成部８７Ｎを有していてもよい。
【０１０１】
音声信号処理回路８７は、Ｌ１信号８０ａ’およびＣ信号８０ｃ’をＬ１Ｃ信号生成部８７Ｋに通すことにより、ＨＰＦ８７Ｄに入力する信号（Ｌ１Ｃ信号８０ｈ’）を生成する。Ｌ１Ｃ信号生成部８７Ｋは、Ｌ１信号８０ａ’およびＣ信号８０ｃ’に基づいて、Ｌ１Ｃ信号８０ｈ’を生成する。音声信号処理回路８７は、Ｌ２信号８０ｄ’およびＣ信号８０ｃ’をＬ２Ｃ信号生成部８７Ｌに通すことにより、ＨＰＦ８７Ｅに入力する信号（Ｌ２Ｃ信号８０ｉ’）を生成する。Ｌ２Ｃ信号生成部８７Ｌは、Ｌ２信号８０ｄ’およびＣ信号８０ｃ’に基づいて、Ｌ２Ｃ信号８０ｉ’を生成する。音声信号処理回路８７は、Ｒ１信号８０ｂ’およびＣ信号８０ｃ’をＲ１Ｃ信号生成部８７Ｍに通すことにより、ＨＰＦ８７Ｆに入力する信号（Ｒ１Ｃ信号８０ｊ’）を生成する。ＬＣ信号生成部８７Ｍは、Ｒ１信号８０ｂ’およびＣ信号８０ｃ’に基づいて、Ｒ１Ｃ信号８０ｊ’を生成する。音声信号処理回路８７は、Ｒ２信号８０ｅ’およびＣ信号８０ｃ’をＲ２Ｃ信号生成部８７Ｎに通すことにより、ＨＰＦ８７Ｇに入力する信号（Ｒ２Ｃ信号８０ｋ’）を生成する。ＬＣ信号生成部８７Ｎは、Ｒ２信号８０ｅ’およびＣ信号８０ｃ’に基づいて、Ｒ２Ｃ信号８０ｋ’を生成する。
【０１０２】
Ｌ１Ｃ信号生成部８７Ｋは、小音量時には、Ｌ１信号８０ａ’を出力し、大音量時には、Ｌ１Ｃ信号８０ｈ’を出力する。Ｌ２Ｃ信号生成部８７Ｌは、小音量時には、Ｌ１信号８０ｄ’を出力し、大音量時には、Ｌ１Ｃ信号８０ｉ’を出力する。Ｒ１Ｃ信号生成部８７Ｍは、小音量時には、Ｒ１信号８０ｂ’を出力し、大音量時には、Ｒ１Ｃ信号８０ｊ’を出力する。Ｒ２Ｃ信号生成部８７Ｎは、小音量時には、Ｒ２信号８０ｅ’を出力し、大音量時には、Ｒ２Ｃ信号８０ｋ’を出力する。このように、本変形例では、小音量時には、Ｌ１信号８０ａ，Ｌ２信号８０ｄ、Ｒ１信号８０ｂおよびＲ２信号８０ｅが加振点１７ａ，１７ｂ，１７ｄ，１７ｅに供給され、大音量時には、Ｃ信号３０ｃを用いて補正されたＬ１Ｃ信号８０ｈ，Ｌ２Ｃ信号８０ｉ，Ｒ１Ｃ信号８０ｊおよびＲ２Ｃ信号８０ｋが、加振点１７ａ，１７ｂ，１７ｄ，１７ｅに供給される。これにより、常にＬ１信号８０ａ，Ｌ２信号８０ｄ，Ｒ１信号８０ｂおよびＲ２信号８０ｅを加振器２１ａ，２１ｂ，２１ｄ，２１ｅに供給した場合と比べて、大音量時にも、ＬＣＲチャネルの音圧バランスを保つことができる。従って、音声品質を向上させることができる。
【０１０３】
Ｌ１Ｃ信号生成部８７Ｋ，Ｌ２Ｃ信号生成部８７Ｌ，Ｒ１Ｃ信号生成部８７ＭおよびＲ２Ｃ信号生成部８７Ｎにおける、出力信号の切り替えは、例えば、音声デバイスドライバ３８の出力端に、パネル部１０の代わりに抵抗器を接続し、その抵抗器に流れる信号をシグナルアナライザ等で解析することにより、特定することが可能である。
【０１０４】
＜４．上記各実施の形態に共通の変形例＞
次に、上記各実施の形態およびその変形例に係る表示装置１，２に共通の変形例について説明する。
【０１０５】
上記第１の実施の形態およびその変形例に係る表示装置１が、５．１ｃｈの音響システムにおけるスピーカの１つとして用いることができるように構成されている場合について説明する。上記第１の実施の形態およびその変形例に係る表示装置１が、例えば、図２８に示したように、外部のアンプ１６０からの音声信号の入力ポート１Ａを備えている。入力ポート１Ａには、例えば、Ｃチャネルの音声信号が入力される。入力ポート１Ａは、例えば、図２９に示したように、信号処理部３０の音声信号処理回路３７に接続されている。音声信号処理回路３７は、入力ポート１Ａに入力された信号（例えば、Ｃチャネルの音声信号）を、例えば、加振器２１ａ，２１ｂ，２１ｃや、低音域スピーカ６１ａ，６１ｂに出力する。
【０１０６】
音響システム１００は、Ｒスピーカ１１０、Ｌスピーカ１２０、ＳＲスピーカ１３０、ＳＬスピーカ１４０、ＳＷＦスピーカ１５０、上記第１の実施の形態およびその変形例に係る表示装置１、およびアンプ１６０によって構成されている。音響システム１００において、表示装置１は、入力ポート１Ａにアンプ１６０からの音声信号が入力されることにより、例えばＣチャネルのスピーカとして機能し得る。
【０１０７】
なお、図２８には、１つの加振器２１ａしか示されていないが、２つの加振器２１ａ、または３つ以上の加振器２１ａが互いに隣接して設けられていてもよい。同様に、図２８には、１つの加振器２１ｂしか示されていないが、２つの加振器２１ｂ、または３つ以上の加振器２１ｂが互いに隣接して設けられていてもよい。同様に、図２８には、１つの加振器２１ｃしか示されていないが、２つの加振器２１ｃ、または３つ以上の加振器２１ｃが互いに隣接して設けられていてもよい。
【０１０８】
次に、上記第２の実施の形態およびその変形例に係る表示装置２が、５．１ｃｈの音響システムにおけるスピーカの１つとして用いることができるように構成されている場合について説明する。上記第２の実施の形態およびその変形例に係る表示装置２が、例えば、図３０に示したように、外部のアンプ１６０からの音声信号の入力ポート１Ａを備えている。入力ポート１Ａには、例えば、Ｃチャネルの音声信号が入力される。入力ポート１Ａは、例えば、図３１に示したように、信号処理部８０の音声信号処理回路８７に接続されている。音声信号処理回路８７は、入力ポート１Ａに入力された信号（例えば、Ｃチャネルの音声信号）を、例えば、加振器２１ａ，２１ｂ，２１ｃ，２１ｄ，２１ｅや、低音域スピーカ６１ａ，６１ｂに出力する。
【０１０９】
音響システム１００は、Ｒスピーカ１１０、Ｌスピーカ１２０、ＳＲスピーカ１３０、ＳＬスピーカ１４０、ＳＷＦスピーカ１５０、上記第２の実施の形態およびその変形例に係る表示装置２、およびアンプ１６０によって構成されている。音響システム１００において、表示装置２は、入力ポート１Ａにアンプ１６０からの音声信号が入力されることにより、例えばＣチャネルのスピーカとして機能し得る。
【０１１０】
なお、図３０には、１つの加振器２１ａしか示されていないが、２つの加振器２１ａ、または３つ以上の加振器２１ａが互いに隣接して設けられていてもよい。同様に、図３０には、１つの加振器２１ｂしか示されていないが、２つの加振器２１ｂ、または３つ以上の加振器２１ｂが互いに隣接して設けられていてもよい。同様に、図３０には、１つの加振器２１ｃしか示されていないが、２つの加振器２１ｃ、または３つ以上の加振器２１ｃが互いに隣接して設けられていてもよい。同様に、図３０には、１つの加振器２１ｄしか示されていないが、２つの加振器２１ｄ、または３つ以上の加振器２１ｄが互いに隣接して設けられていてもよい。同様に、図３０には、１つの加振器２１ｅしか示されていないが、２つの加振器２１ｅ、または３つ以上の加振器２１ｅが互いに隣接して設けられていてもよい。
【０１１１】
上記第１および第２の実施の形態およびそれらの変形例において、例えば、図３２、図３３に示したように、支持部４０および回動部５０が省略されていてもよい。ただし、この場合には、上記第１および第２の実施の形態およびそれらの変形例に係る表示装置１，２を、壁などに設けられたフックに掛けるための凹部３０Ｂがリアカバー１０Ｒに設けられていることが好ましい。なお、テーブルトップスタンドに、上記第１および第２の実施の形態およびそれらの変形例に係る表示装置１，２を置く場合には、上述の凹部３０Ｂがなくてもかまわない。
【０１１２】
上記第１および第２の実施の形態およびそれらの変形例において、表示装置１，２が、７．３ｃｈの音響システムとなっていてもよい。
【０１１３】
以上、実施の形態およびその変形例を挙げて本開示を説明したが、本開示は上記実施の形態等に限定されるものではなく、種々変形が可能である。なお、本明細書中に記載された効果は、あくまで例示である。本開示の効果は、本明細書中に記載された効果に限定されるものではない。本開示が、本明細書中に記載された効果以外の効果を持っていてもよい。
【０１１４】
また、例えば、本開示は以下のような構成を取ることができる。
（１）
映像を表示する薄板状の表示セルと、
前記表示セルの裏面側に配置され、前記表示セルを振動させるＭ個の加振器と、
前記表示セルおよびＭ個の前記加振器を駆動する駆動部と
を備え、
前記駆動部は、外部信号から得られた音声信号に基づいてＭ種類の第１音声信号を生成し、Ｍ種類の前記第１音声信号から選択される、組み合わせの互いに異なるＭ−Ｏ組のＫ種類（２≦Ｋ＜Ｍ，１≦Ｏ＜Ｍ−１）の前記第１音声信号に基づいて、組ごとに第２音声信号を生成し、Ｍ−Ｏ種類の前記第２音声信号と、Ｍ種類の前記第１音声信号のうちの１つである第３音声信号とを、Ｍ個の前記加振器に供給する
表示装置。
（２）
前記駆動部は、大音量時に、Ｍ−Ｏ種類の前記第２音声信号と、前記第３音声信号とを、Ｍ個の前記加振器に供給する
（１）に記載の表示装置。
（３）
前記駆動部は、小音量時に、Ｍ種類の前記第１音声信号を、Ｍ個の前記加振器に供給する
（２）に記載の表示装置。
（４）
前記駆動部は、大音量時に、各前記第２音声信号における所定の低域を減衰させることにより生成したＭ−Ｏ種類の第４音声信号をＭ−Ｏ個の前記加振器に供給し、前記第３音声信号における所定の低域を減衰させることにより生成した第５音声信号を、Ｍ個の前記加振器のうち前記第４音声信号が供給されない前記加振器に供給する
（１）に記載の表示装置。
（５）
複数の低音域スピーカを更に備え、
Ｍ種類の前記加振器および複数の前記低音域スピーカを振動源と総称したときに、互いに隣接する２つの前記振動源の、面内における距離が、互いに等しくなっている
（１）ないし（４）のいずれか１つに記載の表示装置。
（６）
Ｎ個の低音域スピーカを更に備え、
前記駆動部は、Ｍ−Ｏ種類の前記第２音声信号から選択される、組み合わせの互いに異なるＮ組のＪ種類（２≦Ｊ≦Ｎ）の前記第２音声信号と、前記第３音声信号とに基づいて、組ごとに第６音声信号を生成し、Ｎ種類の前記第６音声信号を、Ｎ個の前記低音域スピーカに供給する
（１）ないし（５のいずれか１つに記載の表示装置。
（７）
Ｍ個の前記加振器には、左加振器、中央加振器および右加振器が含まれ、
Ｍ種類の前記第１音声信号には、第１左音声信号、第１中央音声信号および第１右音声信号が含まれ、
Ｍ−Ｏ種類の前記第２音声信号には、第２左音声信号および第２右音声信号が含まれ、
前記駆動部は、前記音声信号に基づいて前記第１左音声信号、前記第１中央音声信号および前記第１右音声信号を生成し、前記第１左音声信号および前記第１中央音声信号に基づいて前記第２左音声信号を生成し、前記第１右音声信号および前記第１中央音声信号に基づいて前記第２右音声信号を生成し、前記第２左音声信号を前記左加振器に供給し、前記第１中央音声信号を前記中央加振器に供給し、前記第２右音声信号を前記右加振器に供給する
（１）に記載の表示装置。
（８）
前記駆動部は、大音量時に、前記第２左音声信号を前記左加振器に供給し、前記第２右音声信号を前記右加振器に供給する
（７）に記載の表示装置。
（９）
前記駆動部は、小音量時に、前記第１左音声信号を前記左加振器に供給し、前記第１の中央音声信号を前記中央加振器に供給し、前記第１の右音声信号を前記右加振器に供給する
（７）に記載の表示装置。
（１０）
Ｍ個の前記加振器には、第１左上加振器、第１左下加振器、中央加振器、第１右上加振器および第２右下加振器が含まれ、
Ｍ種類の前記第１音声信号には、第１左上音声信号、第１左下音声信号、第１中央音声信号、第１右上音声信号および第１右下音声信号が含まれ、
Ｍ−１種類の前記第２音声信号には、第２左上音声信号、第２左下音声信号、第２右上音声信号および第２右下音声信号が含まれ、
前記駆動部は、前記音声信号に基づいて前記第１左上音声信号、前記第１左下音声信号、前記第１中央音声信号、前記第１右上音声信号および前記右下音声信号を生成し、前記第１左上音声信号および前記第１中央音声信号に基づいて前記第２左上音声信号を生成し、前記第１左下音声信号および前記第１中央音声信号に基づいて前記第２左下音声信号を生成し、前記第１右上音声信号および前記第１中央音声信号に基づいて前記第２右上音声信号を生成し、前記第１右下音声信号および前記第１中央音声信号に基づいて前記第２右下音声信号を生成し、前記第２左上音声信号を前記左上加振器に供給し、前記第２左下音声信号を前記左下加振器に供給し、前記第１中央音声信号を前記中央加振器に供給し、前記第２右上音声信号を前記右上加振器に供給し、前記第２右下音声信号を前記右下加振器に供給する
（１）に記載の表示装置。
（１１）
前記駆動部は、大音量時に、前記第２左上音声信号を前記左上加振器に供給し、前記第２左下音声信号を前記左下加振器に供給し、前記第２右上音声信号を前記右上加振器に供給し、前記第２右下音声信号を前記右下加振器に供給する
（１０）に記載の表示装置。
（１２）
前記駆動部は、小音量時に、前記第１左上音声信号を前記左上加振器に供給し、前記第１左下音声信号を前記左下加振器に供給し、前記第１右上音声信号を前記右上加振器に供給し、前記第１右下音声信号を前記右下加振器に供給する
（１０）に記載の表示装置。
（１３）
外部信号から得られた音声信号に基づいて、Ｍ個の加振器に供給するための信号を生成する信号処理部を備え、
前記信号処理部は、前記音声信号に基づいて、Ｍ種類の第１音声信号を生成し、Ｍ種類の前記第１音声信号から選択される、組み合わせの互いに異なるＭ−Ｏ組のＫ種類（２≦Ｋ＜Ｍ，１≦Ｏ＜Ｍ−１）の前記第１音声信号に基づいて、組ごとに第２音声信号を生成し、Ｍ−Ｏ種類の前記第２音声信号と、Ｍ種類の前記第１音声信号のうちの１つである第３音声信号とを、Ｍ個の前記加振器に供給する
信号生成装置。
【０１１５】
本開示の一実施形態に係る表示装置および信号生成装置によれば、Ｍ種類の第１音声信号から選択される、組み合わせの互いに異なるＭ−Ｏ組のＫ種類（２≦Ｋ＜Ｍ，１≦Ｏ＜Ｍ−１）の第１音声信号に基づいて、組ごとに第２音声信号を生成するようにしたので、大音量時にも、ＬＣＲチャネルの音圧バランスを保つことができる。従って、音質を更に向上させることができる。なお、本技術の効果は、ここに記載された効果に必ずしも限定されず、本明細書中に記載されたいずれの効果であってもよい。
【０１１６】
本出願は、日本国特許庁において２０１７年１２月２８日に出願された日本特許出願番号第２０１７−２５４１１９号および２０１８年９月１８日に出願された日本特許出願番号第２０１８−１７４０５９号を基礎として優先権を主張するものであり、この出願のすべての内容を参照によって本出願に援用する。
【０１１７】
当業者であれば、設計上の要件や他の要因に応じて、種々の修正、コンビネーション、サブコンビネーション、および変更を想到し得るが、それらは添付の請求の範囲やその均等物の範囲に含まれるものであることが理解される。
【図１】
2019130972.tif 000003
【図２】
2019130972.tif 000004
【図３】
2019130972.tif 000005
【図４】
2019130972.tif 000006
【図５】
2019130972.tif 000007
【図６】
2019130972.tif 000008
【図７】
2019130972.tif 000009
【図８】
2019130972.tif 000010
【図９】
2019130972.tif 000011
【図１０】
2019130972.tif 000012
【図１１】
2019130972.tif 000013
【図１２】
2019130972.tif 000014
【図１３】
2019130972.tif 000015
【図１４】
2019130972.tif 000016
【図１５】
2019130972.tif 000017
【図１６】
2019130972.tif 000018
【図１７】
2019130972.tif 000019
【図１８】
2019130972.tif 000020
【図１９】
2019130972.tif 000021
【図２０】
2019130972.tif 000022
【図２１】
2019130972.tif 000023
【図２２】
2019130972.tif 000024
【図２３】
2019130972.tif 000025
【図２４】
2019130972.tif 000026
【図２５】
2019130972.tif 000027
【図２６】
2019130972.tif 000028
【図２７】
2019130972.tif 000029
【図２８】
2019130972.tif 000030
【図２９】
2019130972.tif 000031
【図３０】
2019130972.tif 000032
【図３１】
2019130972.tif 000033
【図３２】
2019130972.tif 000034
【図３３】
2019130972.tif 000035
【国際調査報告】
2019130972.tif 000036
2019130972.tif 000037
2019130972.tif 000038
2019130972.tif 000039